(57)【要約】      （修正有）【課題】ハブの回りの空気流れとフィンを通過した直線的な流れとを折り合わせる。【解決手段】コンピュータアッセンブリ２０は、底部２４と、端部壁２６と、側壁２８と、蓋部３０とを有するケーシング２２を備え、様々なコンピュータ構成部品は底部２４に支持される。仕切り部３８が側壁２８の間に延在し、複数のファンが空気を端部壁２６の孔３２を通して移動させるため仕切り部３８に配置される。熱交換器４４はフィンを備え、各ファンは、中央ハブと、該ハブから径方向に延在するファンブレードとを有する。【選択図】図１
2007241991.tif 000002
【特許請求の範囲】
【請求項１】
コンピュータアッセンブリ（２０）であって、
底部（２４）と、端部壁（２６）と、側壁（２８）と、蓋部（３０）とを有するケーシング（２２）であって、前記端部壁（２６）は  該ケーシング（２２）を通した空気の流れのため孔（３２）を内部に有する、前記ケーシングと、
前記底部（２４）に支持されたコンピュータ構成部品と、
一方の側に第１の区画室を設置し、他方の側に第２の区画室を設置するため前記側壁（２８）の間に延在しかつ前記端部壁（２６）から間隔を隔てた仕切り部（３８）と、
前記孔（３２）を通して及び前記区画室を通して空気を移動させるため前記仕切り部（３８）に配置されたファンであって、該ファンは、中央ハブ（５２）と、該ハブから径方向に延在するファンブレードとを有する、前記ファンと、
前記第２の区画室内に配置され、前記側壁（２８）に平行に延在して配置されたフィン（４８）を備える、熱交換器（４４）と、
を備え、
前記ハブ（５２）の回りの空気流れと前記フィン（４８）を通過した直線的な流れとを折り合わせるため、前記フィン（４８）と前記ファンの前記ハブ（５２）との間に流れ制御部を配置したことを特徴とする、コンピュータアッセンブリ（２０）。
【請求項２】
前記ファンは、前記第１の区画室を通って前記第２の区画室内の前記フィン（４８）へと空気を移動させ、前記流れ制御部は、前記ハブ（５２）の下流側の流れを前記フィン（４８）に入る前に直線状にするため、前記ファンの前記ハブ（５２）と前記フィン（４８）との間に流れ直線形成部（５６）を備えている、請求項１に記載のコンピュータアッセンブリ（２０）。
【請求項３】
前記ファンは、空気を前記第２の区画室を通して前記フィン（４８）を通して前記第１の区画室へと移動させ、前記流れ制御部は、前記フィン（４８）からの流れ及び前記ハブ（５２）の回りの流れを前記ファンに入る前に逸らすため前記ファンの前記ハブ（５２）を覆う流れ偏向手段（５８）を備えている、請求項１に記載のコンピュータアッセンブリ（２０）。
【請求項４】
コンピュータアッセンブリ（２０）であって、
底部（２４）と、端部壁（２６）と、側壁（２８）と、蓋部（３０）とを有するケーシング（２２）であって、前記端部壁（２６）は  該ケーシング（２２）を通した空気の流れのため孔（３２）を内部に有する、前記ケーシングと、
前記底部（２４）に支持されたコンピュータ構成部品と、
一方の側に第１の区画室を設置し、他方の側に第２の区画室を設置するため前記側壁（２８）の間に延在しかつ前記端部壁（２６）から間隔を隔てた仕切り部（３８）であって、該仕切り部（３８）は互いに並列の関係で配置された複数の開口部を形成する、前記仕切り部と、
前記第１の区画室内で前記底部（２４）に配置された低温プレート（４０）と、
前記低温プレート（４０）により冷却するため該低温プレート（４０）に配置された電子チップと、
前記第１の区画室内で前記底部（２４）に配置されたポンプ（４２）と、
空気を前記孔（３２）を通して前記区画室を通して移動させるため前記仕切り部（３８）の前記開口部に互いに並列関係に配置されたファンのアレイであって、該ファンの各々は中央ハブ（５２）と該ハブから径方向に延在するファンブレードとを有する、前記ファンのアレイと、
前記第２の区画室内で前記ファンのアレイに沿って延在する熱交換器（４４）であって、冷却管（４６）と、該冷却管の回りに配置されかつ前記側壁（２８）に平行に延在するフィン（４８）とを備える、前記熱交換器（４４）と、
前記熱交換器（４４）内の冷却剤流体を冷却し、前記低温プレート（４０）において前記電子チップから熱を抽出するため、前記ポンプ（４２）と前記低温プレート（４０）と前記熱交換器（４４）とを通して冷却剤流体を循環させるように前記低温プレート（４０）と前記ポンプ（４２）と前記熱交換器（４４）の前記冷却管とを相互接続する冷却剤導管（５０）と、
前記開口部の各々でファンを支持するため前記ハブ（５２）から径方向に延在する、前記開口部の各々に設けられた複数のスポーク（５４）と、
を備え、
前記ハブ（５２）の回りの空気流れと前記フィン（４８）を通過した直線的な流れとを折り合わせるため、前記ファンのアレイと前記フィン（４８）との間に流れ制御部を配置したことを特徴とする、コンピュータアッセンブリ（２０）。
【請求項５】
前記ファンは、前記第１の区画室を通って前記第２の区画室内の前記フィン（４８）へと空気を移動させ、前記流れ制御部は、前記ハブ（５２）の下流側の流れを前記フィン（４８）に入る前に直線状にするため、前記ファンの前記ハブ（５２）と前記フィン（４８）との間に流れ直線形成部（５６）を備えている、請求項４に記載のコンピュータアッセンブリ（２０）。
【請求項６】
前記ファンは、空気を前記第２の区画室を通して前記フィン（４８）を通して前記第１の区画室へと移動させ、前記流れ制御部は、前記フィン（４８）からの流れ及び前記ハブ（５２）の回りの流れを前記ファンに入る前に逸らすため前記ファンの前記ハブ（５２）を覆う流れ偏向手段（５８）を備えている、請求項４に記載のコンピュータアッセンブリ（２０）。
【発明の詳細な説明】
【技術分野】
【０００１】
本発明は、コンピュータアッセンブリに係り、より詳しくは、コンピュータチップを冷却するための液体冷却システムを備えた複数のコンピュータ構成部品を覆うケーシングに関する。
【背景技術】
【０００２】
本発明は、底端部壁と、側壁と、蓋と、を有するケーシングを備え、端部壁にはコンピュータ構成部品を冷却するためケーシングを通した空気流れのための孔が形成されている。仕切り部は、側壁の間に延在し、該仕切り部は一方の側部に第１の区画室を設置し他方の側部に第２の区画室を設置するため端部壁から間隔を隔てられており、孔を通して及び区画室を通して空気を移動するため複数のファンが仕切り部内に配置されている。熱交換器は、第２の区画室に配置され、側壁に平行に延在して配置されたフィンを備え、ファンは、中央ハブと、該ハブから径方向に延在するファンブレードとを各々有する。
【発明の開示】
【課題を解決するための手段】
【０００３】
本発明は、ハブの回りの空気流れとフィンを通過した直線的な流れとを折り合わせるため、該フィンと各ファンのハブとの間に配置された流れ制御部を提供する。
【０００４】
本発明の他の利点は、それが添付図面と関連付けて考慮されるとき次の詳細な説明を参照してより良く理解されるようになるので、容易に認められる。
【実施例】
【０００５】
図面を参照すると、コンピュータアッセンブリ２０が概略的に示されている。これらの図面を通して、同様の参照番号が対応する部品を指し示している。
【０００６】
アッセンブリ２０は、底部２４と、端部壁２６と、側壁２８と、蓋部３０とから構成される、全体として２２で示されたケーシング２２を備えている。端部壁２６は、ケーシング２２を通した空気流れのための孔３２を有する。
【０００７】
様々な回路基板３４及び電子ボックス３６を始めとした、複数のコンピュータ構成部品が、底部２４に支持されている。
【０００８】
仕切り部３８は、一方の側に第１の区画室を設置し他方の側に第２の区画室を設置するため、側壁２８の間に延在しかつ端部壁２６から間隔を隔てている。
【０００９】
低温プレート４０は、第１の区画室内の底部２４上に配置され、電子チップは、低温プレート４０により冷却するための低温プレート４０上に配置されている。より詳しくは、液体冷却剤は、第２の区画室内の底部２４上に配置されたポンプ４２により低温プレート４０を通って循環される。熱交換器４４が概略的に示されており、仕切り部３８に沿って隣接して延在し、冷却管４６と、該冷却管の回りに配置されかつ側壁２８に平行に延在するフィン４８と、を備えている。フィン４８は、端部壁２６に垂直でかつ側壁２８に平行な流れの方向、即ち直線的な流れを形成する。ポンプ４２と低温プレート４０と熱交換器４４を介して冷却剤の流れを循環させ、熱交換器４４内で冷却剤の流れを冷却し、低温プレート４０で電子チップから放熱するため、複数の冷却剤導管５０が、低温プレート４０とポンプ４２と熱交換器４４の導管との間を相互接続し、それらの間で流体連通を形成する。
【００１０】
複数のハウジングを介した、仕切り部３８は、仕切り部３８に沿って互いに並列的な関係で配置された複数の開口部を形成する。端部壁２６内の孔３２を通して及び区画室を通して空気を移動させるため仕切り部３８内のハウジングにより形成された開口部内で、ファンの列が互いに並列関係に配置されている。ファンの各々は、中央ハブ５２を有し、ファンのブレードは、該ハブから径方向に延在し、各々のハブ５２は、各ハブ５２から径方向に延在する複数のスポーク５４により開口部内に中央で支持されている。
【００１１】
熱交換器４４は、第２の区画室内でファンのアレイに沿って該アレイに隣接して延在している。
【００１２】
本発明は、フィン４８を通過した直線的な流れとハブ５２の各々の回りの空気の流れとを折り合わせるため、ファンのアレイとフィン４８との間に配置された流れ制御部を備えている。
【００１３】
図１及び図２の実施例では、ファンは、第１の区画室を通して第２の区画室内のフィン４８へと空気を移動させ、流れ制御部は、フィン４８に入る前にハブ５２の下流で流れを直線状にするため、ファンのハブ５２と、フィン４８との間に流れ直線形成部５６を備えている。
【００１４】
図３及び図４の実施例では、ファンは、第２の区画室を通して、フィン４８を通して、第１の区画室へと空気を移動させ、流れ制御部は、ファンに入る前にフィン４８からの流れ及びハブ５２の回りの流れを逸らすためファンのハブ５２を覆っている流れ偏向器５８を備えている。流れ偏向器は、そのベース部分をハブ５２を覆って配置させた円錐部の形態を呈している。
【００１５】
明らかに、本発明の多数の変更及び変形は、上記教えに鑑みて可能である。本発明は、添付した請求の範囲内に特に記載されたものとは異なる仕方で実行することができる。本請求の範囲は、従来技術であるものは、「を特徴とする」という条項に記載された新規な部分に先立って記載されている。新規部分は、「を特徴とする」という条項に特に明らかに記載されていることを意味し、その一方で、先行する記載は、本発明が基礎とする古くから周知された組み合わせを単に記載しているだけである。これらの先行した記載は、誘導された新規部分がその有用性を発揮する、蓋部３０との任意の組み合わせに解釈されるべきである。加えて、請求の範囲の参照番号は、単に利便性のためだけに記載されており、本発明を制限するものと解釈するべきではない。
【図面の簡単な説明】
【００１６】
【図１】図１は、本発明の第１の実施例の斜視図である。
【図２】図２は、第１の実施例に係る熱交換器及びファンの構成の斜視図である。
【図３】図３は、本発明の第２の実施例の斜視図である。
【図４】図４は、第２の実施例に係る熱交換器及びファンの構成の斜視図である。
【符号の説明】
【００１７】
２０    アッセンブリ
２２    ケーシング
２４    底部
２６    端部壁
２８    側壁
３０    蓋部
３２    孔
３４    回路基板
３６    電子ボックス
３８    仕切り部
４０    低温プレート
４２    ポンプ
４４    熱交換器    
４６    冷却剤管
４８    フィン
５０    導管
５２    ハブ
５４    スポーク
５６    流れ直線形成部
５８    流れ偏向部
【図１】
2007241991.tif 000003
【図２】
2007241991.tif 000004
【図３】
2007241991.tif 000005
【図４】
2007241991.tif 000006
【外国語明細書】
2007241991000001.pdf